(57)【特許請求の範囲】
【請求項１】
入力信号を所定のサンプリングブロックにより直交変換処理して係数データを出力する直交変換手段と、
前記係数データに所定の入力データを割り当てる係数データ処理手段とを備え、
前記係数データ処理手段は、
時間軸方向及び又は周波数軸方向に連続する前記係数データの値を、前記入力データに対応する同一値に設定する
ことを特徴とする信号処理装置。
【請求項２】
入力信号を所定のサンプリングブロックにより直交変換処理して係数データを生成し、
前記係数データに所定の入力データを割り当てる信号処理方法であって、
時間軸方向及び又は周波数軸方向に連続する前記係数データの値を、前記入力データに対応する同一値に設定する
ことを特徴とする信号処理方法。
【請求項３】
前記同一値の少なくとも１つが前記係数データにより表される前記入力信号の信号レベルを０レベルに設定する値である
ことを特徴とする請求項２に記載の信号処理方法。
【請求項４】
所定の入力信号を記録した記録媒体において、
入力信号を所定のサンプリングブロックにより直交変換処理して係数データを生成し、
時間軸方向及び又は周波数軸方向に連続する前記係数データの値を、前記入力データに対応する同一値に設定して、前記係数データに所定の入力データが割り当てられた
ことを特徴とする記録媒体。
【請求項５】
入力信号を所定のサンプリングブロックにより直交変換処理して係数データを出力する直交変換手段と、
前記係数データに所定の入力データを割り当てる係数データ処理手段とを備え、
前記係数データ処理手段は、
前記係数データの周波数軸方向及び時間軸方向の組み合わせによるパターンにより前記入力データを表現する
ことを特徴とする信号処理装置。
【請求項６】
入力信号を所定のサンプリングブロックにより直交変換処理して係数データを生成し、
前記係数データに所定の入力データを割り当てる信号処理方法であって、
前記係数データの周波数軸方向及び時間軸方向の組み合わせによるパターンにより前記入力データを表現する
ことを特徴とする信号処理方法。
【請求項７】
前記パターンを一定の周期で繰り返す
ことを特徴とする請求項６に記載の信号処理方法。
【請求項８】
前記入力データによる第１のパターンに対して、第２の入力データによる第２のパターンが前記第１のパターンと干渉しないように、前記係数データに前記第２の入力データを割り当てる
ことを特徴とする請求項６に記載の信号処理方法。
【請求項９】
前記入力データと共に前記入力データの誤り訂正用符号を前記パターンにより前記係数データに割り当てる
ことを特徴とする請求項６に記載の信号処理方法。
【請求項１０】
時間軸方向の前記係数データの変化により前記係数データにおいて前記入力データを表現する
ことを特徴とする請求項６に記載の信号処理方法。
【請求項１１】
所定の入力信号を記録した記録媒体において、
前記入力信号は、所定のサンプリングブロックにより直交変換処理して係数データに変換され、
前記係数データに所定の入力データが割り当てられて、前記係数データの周波数軸方向及び時間軸方向の組み合わせによるパターンにより前記入力データが表現される
ことを特徴とする記録媒体。
【請求項１２】
入力信号を所定のサンプリングブロックにより直交変換処理して係数データを出力する直交変換手段と、
前記係数データに所定の入力データを割り当てる係数データ処理手段と、
前記係数データ処理手段より出力される前記係数データを逆直交変換処理して出力する逆直交変換手段と、
前記係数データ処理手段による前記入力データの割り当てに連動して、逆直交変換手段の出力信号と前記入力信号とを選択的に出力する信号出力手段とを備える
ことを特徴とする信号処理装置。
【請求項１３】
前記信号出力手段は、
前記出力信号と前記入力信号とを切り換える際に、クロスフェードにより合成して出力する
ことを特徴とする請求項１２に記載の信号処理装置。
【請求項１４】
入力信号を所定のサンプリングブロックにより直交変換処理して係数データを生成し、
前記係数データに所定の入力データを割り当て、
前記係数データを逆直交変換処理して出力信号を出力し、
前記入力データの割り当てに連動して、前記出力信号と前記入力信号とを選択的に出力する
ことを特徴とする信号処理方法。
【発明の詳細な説明】
【０００１】
【発明の属する技術分野】
本発明は、信号処理装置、記録媒体及び信号処理方法に関し、例えば著作権のデータ等をディジタルオーディオ信号に記録して提供する場合に、またこのようなディジタルオーディオ信号を記録した光ディスク等に適用することができる。本発明は、入力信号を異なるサンプリングブロックにより直交変換処理して複数系統の係数データより入力信号に埋め込まれた所定のデータを検出すること等により、データ圧縮する場合でも著作権等のデータを確実に検出することができるようにする。
【０００２】
【従来の技術】
従来、光ディスク等の記録媒体について、いわゆるウォーターマークにより著作権の保護を図る方法が提案されている。この方法は、オーディオ信号等の再生に影響を与えない程度の微小な信号レベルにより著作権に関するデータの変調信号等をオーディオ信号等に重畳するものである。
【０００３】
【発明が解決しようとする課題】
ところでこのようにして著作権のデータ等を埋め込む場合、アナログ信号によるオーディオ信号においても著作権のデータを埋め込むことができる反面、例えば光ディスク装置等によりデータ圧縮する場合には、これら著作権のデータ等を正しく検出できない場合がある。
【０００４】
本発明は以上の点を考慮してなされたもので、データ圧縮する場合でも著作権等のデータを確実に検出することができる信号処理装置及び信号処理方法、これら信号処理装置及び信号処理方法による記録媒体を提案しようとするものである。
【００１１】
【課題を解決するための手段】
かかる課題を解決するため請求項１又は請求項２に係る発明においては、それぞれ信号処理装置又は信号処理方法において、入力信号を所定のサンプリングブロックにより直交変換処理して係数データを生成し、この係数データに所定の入力データを割り当てる際に、時間軸方向及び又は周波数軸方向に連続する係数データの値を、入力データに対応する同一値に設定する。
【００１２】
また請求項４に係る発明においては、所定の入力信号を記録した記録媒体において、入力信号を所定のサンプリングブロックにより直交変換処理して係数データを生成し、このとき時間軸方向及び又は周波数軸方向に連続する係数データの値を、入力データに対応する同一値に設定して、係数データに入力データが割り当てられる。
【００２０】
また請求項５又は請求項６に係る発明においては、それぞれ信号処理装置又は信号処理方法において、入力信号を所定のサンプリングブロックにより直交変換処理して係数データを生成し、この係数データに所定の入力データを割り当てる際に、係数データの周波数軸方向及び時間軸方向の組み合わせによるパターンにより入力データを表現する。
【００２１】
また請求項１１に係る発明においては、所定の入力信号を記録した記録媒体において、この入力信号は、所定のサンプリングブロックにより直交変換処理して係数データに変換され、この係数データに所定の入力データが割り当てられて、この係数データの周波数軸方向及び時間軸方向の組み合わせによるパターンにより入力データが表現される。
【００２３】
また請求項１２又は請求項１４に係る発明においては、それぞれ信号処理装置又は信号処理方法において、入力信号を所定のサンプリングブロックにより直交変換処理して係数データを生成し、この係数データに所定の入力データを割り当て、この係数データを逆直交変換処理して出力信号を生成し、この係数データへの入力データの割り当てに連動して、この出力信号と入力信号とを選択的に出力する。
【００３２】
さらに請求項１又は請求項２に係る構成において、それぞれ信号処理装置又は信号処理方法において、入力信号を所定のサンプリングブロックにより直交変換処理して係数データを生成し、この係数データに所定の入力データを割り当てる際に、時間軸方向及び又は周波数軸方向に連続する係数データの値を、入力データに対応する同一値に設定すれば、異なるサンプリングブロックにより入力データを検出する場合でも、少なくとも１の係数データにおいては、入力データを割り当てた際における係数データとほぼ同一値を得ることができ、これにより誤検出を防止することができる。
【００３３】
また請求項４に係る構成において、所定の入力信号を記録した記録媒体において、入力信号を所定のサンプリングブロックにより直交変換処理して係数データを生成し、このとき時間軸方向及び又は周波数軸方向に連続する係数データの値を、入力データに対応する同一値に設定して、係数データに入力データが割り当てられれば、異なるサンプリングブロックにより入力データを検出する場合でも、少なくとも１の係数データにおいては、入力データを割り当てた際における係数データとほぼ同一値を得ることができ、これにより誤検出を防止することができる。
【００４１】
また請求項５又は請求項６に係る構成において、それぞれ信号処理装置又は信号処理方法において、入力信号を所定のサンプリングブロックにより直交変換処理して係数データを生成し、この係数データに所定の入力データを割り当てる際に、係数データの周波数軸方向及び時間軸方向の組み合わせによるパターンにより入力データを表現すれば、入力信号によっては発生確立の極めて低いパターンにより入力データを表現することができ、これによりこの種のデータの誤検出を防止することができる。
【００４２】
また請求項１１に係る構成において、所定の入力信号を記録した記録媒体において、この入力信号が、所定のサンプリングブロックにより直交変換処理して係数データに変換され、この係数データに所定の入力データが割り当てられ、この係数データの周波数軸方向及び時間軸方向の組み合わせによるパターンにより入力データが表現されていれば、入力信号によっては発生確立の極めて低いパターンにより入力データを表現することができ、これによりこの種のデータの誤検出を防止することができる。
【００４４】
また請求項１２又は請求項１４に係る構成において、それぞれ信号処理装置又は信号処理方法において、入力信号を所定のサンプリングブロックにより直交変換処理して係数データを生成し、この係数データに所定の入力データを割り当て、この係数データを逆直交変換処理して出力信号を生成し、係数データへの入力データの割り当てに連動して、この出力信号と入力信号とを選択的に出力すれば、入力信号に入力データを埋め込まない部分では、入力信号を選択的に出力することにより、直交変換処理により発生する丸め誤差等による入力信号の劣化を低減することができる。
【００４７】
【発明の実施の形態】
以下、適宜図面を参照しながら本発明の実施の形態を詳述する。
【００４８】
（１）第１の実施の形態
（１−１）第１の実施の形態の構成
図２は、本発明の第１の実施の形態に係るエンコーダを示すブロック図である。この実施の形態においては、この図２の構成に係るエンコーダによりディジタルオーディオ信号ＤＡ１に著作権のデータＤＣを埋め込む。さらに図１に示すデコーダ２によりこのようにして埋め込んだ著作権のデータＤＣを検出し、必要に応じてコピーを中止し、また不正コピーの検出に利用する。なおこの実施の形態は、本願の前提の構成を示す実施の形態である。
【００４９】
すなわちこのエンコーダ１において、高速フーリエ変換回路（ＦＦＴ：Fast Fourier Transform）３は、時系列サンプリングデータであるディジタルオーディオ信号ＤＡ１を例えば１０２４サンプル単位のサンプリングブロックに区切り、各サンプリングブロック単位で高速フーリエ変換処理することにより、ディジタルオーディオ信号ＤＡ１を周波数解析する。このとき高速フーリエ変換回路３は、図３に示すように、事前に設定された周波数帯域を１０２４サンプリングにより分割し、周波数ｆ１〜ｆＮを中心周波数に設定した狭帯域の信号レベル（すなわち周波数ｆ１〜ｆＮの周波数スペクトラムである）により周波数解析結果を出力する。
【００５０】
ウォーターマーク（ＷＭ）エンコーダ４は、この周波数解析結果のうちの所定周波数スペクトラムについて、例えばこの周波数スペクトラムが所定の信号レベル以下のとき、著作権のデータＤＣの論理値に応じてミュートして出力する（図３において塗りつぶして示す部分）。これによりウォーターマークエンコーダ４は、著作権のデータＤＣを１ビット単位で各サンプリングブロックの周波数解析結果に順次循環的に埋め込む。
【００５１】
逆高速フーリエ変換回路（ＩＦＦＴ）６は、ウォーターマークエンコーダ４より出力される周波数解析結果を逆高速フーリエ変換し、これにより元の時系列サンプリングデータによるディジタルオーディオ信号ＤＡ２を出力する。
【００５２】
図１に示すように、デコーダ２は、種々のネットワーク、記録媒体より提供されるディジタルオーディオ信号ＤＡ２より著作権のデータＤＣを検出する。すなわちデコーダ２は、時系列サンプリングデータであるディジタルオーディオ信号ＤＡ２をそれぞれ高速フーリエ変換回路７Ａ〜７Ｎに入力し、それぞれエンコーダ１における高速フーリエ変換回路３と同様に周波数解析する。このときデコーダ２は、遅延回路８Ｂ〜８ＮＮ−１を介して、エンコーダ１における１０２４サンプル単位のサンプリングブロックに対して１００サンプリングずつ順次遅延させてディジタルオーディオ信号ＤＡ１を高速フーリエ変換回路７Ａ〜７Ｎに入力する。
【００５３】
これによりデコーダ２は、エンコーダ１におけるサンプリングブロックの位相と異なるサンプリング位相によりディジタルオーディオ信号ＤＡ１を高速フーリエ変換する場合でも、何れかの高速フーリエ変換回路７Ａ〜７Ｎにおいては、周波数解析結果に埋め込んだ著作権のデータＤＣを実用上十分に検出可能な程度に、エンコーダ１における周波数解析結果とほぼ同等の周波数解析結果を得ることができるようになされている。
【００５４】
検出器９は、これら高速フーリエ変換回路７Ａ〜７Ｎより得られる周波数解析結果より所定の周波数スペクトラムデータを選択し、この周波数スペクトラムデータの信号レベルを検出することにより、著作権のデータＤＣを検出して出力する。
【００５５】
（１−２）第１の実施の形態の動作
以上の構成において、ディジタルオーディオ信号ＤＡ１は、エンコーダ１の高速フーリエ変換回路３において（図２及び図３）、１０２４サンプリングブロック単位で高速フーリエ変換され、これにより周波数解析される。さらにこの周波数解析結果である１０２４サンプリングの周波数スペクトラムのうち、所定の周波数スペクトラムが所定の信号レベル以下のとき、著作権のデータＤＣの論理値に応じてミュートすることにより、著作権のデータＤＣが埋め込まれ、元の時系列サンプリングデータによるディジタルオーディオ信号ＤＡ２に変換される。これらの処理によりディジタルオーディオ信号ＤＡ１は、著作権のデータＤＣが埋め込まれる。
【００５６】
このようにして処理されたディジタルオーディオ信号ＤＡ２は、例えば種々のネットワークを介して、また種々の記録媒体を介して、ユーザーに提供される。
【００５７】
この実施の形態においては、このようにして提供されるディジタルオーディオ信号ＤＡ２がデコーダ２において（図１）、遅延回路８Ｂ〜８ＮＮ−１を介して１００サンプリングずつ順次遅延され、高速フーリエ変換回路７Ａ〜７Ｎにおいて１００サンプリングずつ異なるサンプリングブロックにより周波数解析される。これによりエンコーダ１におけるサンプリングブロックの位相と異なるサンプリング位相によりディジタルオーディオ信号ＤＡ１を高速フーリエ変換する場合でも、何れかの高速フーリエ変換回路７Ａ〜７Ｎにおいて、周波数解析結果に埋め込んだ著作権のデータＤＣを実用上十分に検出可能な程度に、エンコーダ１における周波数解析結果とほぼ同等の周波数解析結果を得ることができる。
【００５８】
すなわちこのようにして時系列サンプルであるディジタルオーディオ信号ＤＡ１を所定のサンプリングブロック単位で区切って周波数解析する場合、このサンプリングブロックの位相が大きく異なると、エンコード時と異なる周波数スペクトラムにより周波数解析結果が得られることになり、正しく著作権のデータＤＣを解析することが困難になる。ところがこの実施の形態のように、高速フーリエ変換回路７Ａ〜７Ｎにおいて異なるサンプリングブロックにより周波数解析すれば、何れかの高速フーリエ変換回路７Ａ〜７Ｎよりエンコード時とほぼ同一の周波数解析結果を得ることができ、これにより著作権のデータを失うことなく、正しく検出することができる。
【００５９】
またこのとき１０２４サンプリングブロックに対して１００サンプリングずつ異なるサンプリングブロックにより周波数解析することにより、このような複数の処理系統の増大を防止して、著作権のデータを正しく検出することができる。
【００６０】
（１−３）第１の実施の形態の効果
以上の構成によれば、複数の高速フーリエ変換回路において、時系列サンプリングデータであるディジタルオーディオ信号ＤＡ２を異なるサンプリングブロックにより周波数解析することにより、このディジタルオーディオ信号ＤＡ２に埋め込まれた著作権のデータＤＣを確実に検出することができる。
【００６１】
（２）第２の実施の形態
図４及び図５は、第２の実施の形態に係るエンコーダ及びデコーダを示すブロック図である。この実施の形態においては、図２及び図１について上述したエンコーダ１及びデコーダ２に代えてこれらエンコーダ１１及びデコーダ１２を適用する。なおこの図４及び図５において、エンコーダ１及びデコーダ２と同一の構成は、対応する符号を付して示し、重複した説明は省略する。なおこの実施の形態は、本願の参考例を示すものである。
【００６２】
このエンコーダ１１において、サブサンプリング位相検出器１３は、ディジタルオーディオ信号ＤＡ１を基準にして高速フーリエ変換回路３におけるサンプリングブロックの位相を設定する。すなわちサブサンプリング位相検出器１３は、順次入力されるディジタルオーディオ信号ＤＡ１の信号レベルをモニタし、信号レベルのピークを検出する。さらにサブサンプリング位相検出器１３は、この信号レベルのピークのタイミングよりサンプリングブロックを開始するように、高速フーリエ変換回路３にリセット信号ＲＳＴを出力する。
【００６３】
デコーダ１２において（図５）、サブサンプリング位相検出器１４は、同様にディジタルオーディオ信号ＤＡ２より信号レベルのピークを検出し、この信号レベルのピークのタイミングよりサンプリングブロックを開始するように、高速フーリエ変換回路７にリセット信号ＲＳＴを出力する。
【００６４】
図４及び図５に示す構成によれば、ディジタルオーディオ信号の信号レベルのピークを基準にして、エンコーダ１１とデコーダ１２とで同一のサンプリングブロックによりディジタルオーディオ信号を周波数解析することができ、これによりこのディジタルオーディオ信号ＤＡ２に埋め込まれた著作権のデータＤＣを確実に検出することができる。
【００６５】
（３）第３の実施の形態
この実施の形態においては、図２について上述したとほぼ同様の構成によるエンコーダ２１（図２）と、図６に示すデコーダ２２とにより、著作権のデータＤＣをディジタルオーディオ信号に埋め込み、またこの著作権のデータＤＣを検出する。なおこの実施の形態に係るエンコーダ２１においては、ウォーターマークエンコーダの構成が異なる以外、第１の実施の形態に係るエンコーダ１と同一に構成されることにより、エンコーダ１について上述した図２において、この異なる構成を括弧書きの符号により示し、重複した説明は省略する。
【００６６】
このエンコーダ２１において、ウォーターマークエンコーダ２４は、図７に示すように、所定の周波数スペクトラムについて、時間軸方向に所定の信号レベル以下により周波数スペクトラムが連続する場合に、これら時間軸方向の複数の周波数スペクトラム（図７において塗りつぶして示す部分）を著作権のデータＤＣの論理値に対応する同一の信号レベルに設定する。
【００６７】
これによりウォーターマークエンコーダ２４は、著作権のデータＤＣの各ビットを複数のサンプリングブロックに渡って埋め込み、デコーダ２２において、異なるサンプリングブロックによりディジタルオーディオ信号ＤＡ２を周波数解析した場合でも、何れかのサンプリングブロックにおいては、この著作権のデータＤＣを埋め込む周波数スペクトラムにおいて、エンコーダ２１において設定したと同一の信号レベルを検出できるようになされている。かくするにつきウォーターマークエンコーダ２４は、著作権のデータＤＣを検出する際のマージンを増大するようになされている。
【００６８】
さらにこのときこの実施の形態においては、複数のサンプリングブロックに渡って埋め込むときに設定する周波数スペクトラムの信号レベルを、著作権のデータＤＣの論理値に応じてミューティングするようになされ（すなわち０レベルに設定することである）、これにより著作権のデータＤＣの誤検出を防止するようになされている。
【００６９】
すなわち自然界においては、このように周波数スペクトラムにより周波数解析した場合、時間軸方向においても、周波数軸方向においても、周波数スペクトラムが０レベルに連続して立ち下がる場合が極めて少ない特徴がある。これによりこの実施の形態では、この特徴を有効に利用して誤検出を防止するようになされている。
【００７０】
すなわちデコーダ２２において、高速フーリエ変換回路７は、時系列サンプリングデータによるディジタルオーディオ信号ＤＡ２を順次サンプルブロックに区切って周波数解析し、検出器９は、その結果得られる周波数スペクトラムデータより著作権のデータＤＣを検出する。
【００７１】
図２及び図６に示す構成によれば、著作権のデータの各ビットを複数のサンプリングブロックに渡って埋め込むことにより、著作権のデータＤＣを検出する際のマージンを増大することができ、これにより異なるサンプリングブロックにより著作権のデータＤＣを検出する場合でも、著作権のデータＤＣを確実に検出することができる。
【００７２】
またこのようにして複数のサンプリングブロックに渡って埋め込むときに設定する周波数スペクトラムの信号レベルを著作権のデータＤＣに応じてミューティングすることにより、著作権のデータの誤検出を防止することができる。
【００７３】
（４）第４の実施の形態
図８は、図７との対比により本発明の第４の実施の形態に係るエンコーダの説明に供する特性曲線図である。この実施の形態に係るエンコーダにおいては、時間軸方向及び周波数軸方向に連続する周波数スペクトラムデータを著作権のデータＤＣの論理値に対応する同一の信号レベルに設定する。
【００７４】
この図８に示す構成によれば、周波数軸方向に連続する周波数スペクトラムデータについて、著作権のデータＤＣの論理値に対応する同一の信号レベルに設定することにより、ディジタルオーディオ信号のピッチを可変した場合にも、何れかの周波数スペクトラムデータにおいては、エンコード時と同一の信号レベルを検出することができる。すなわちこの場合周波数軸方向に著作権のデータＤＣを検出する際のマージンを増大することができ、これにより著作権のデータＤＣを失うことなく、確実に検出することができる。
【００７５】
（５）第５の実施の形態
図９は、第５の実施の形態に係るデコーダを示すブロック図である。この実施の形態においては、図２又は図４について上述したエンコーダにより著作権のデータＤＣを埋め込んだディジタルオーディオ信号ＤＡ２を処理する。なおこの実施の形態は、本願の参考例を示すものである。
【００７６】
このためこの実施の形態においては、著作権のデータＤＣを埋め込む際に、著作権のデータＤＣに位相検出用の基準データを付加する。ここでこの位相検出用の基準データは、著作権のデータＤＣには発生し得ない論理レベルの連続により形成される。
【００７７】
デコーダ３２において、検出器３３は、周波数解析結果よりこの位相検出用の基準データを検出し、検出できない場合には、サブサンプリング位相切換器３４に位相切り換え信号ＳＥＬを出力する。これとは逆に周波数解析結果より位相検出用の基準データを検出できた場合、位相切り換え信号ＳＥＬの出力を中止し、この位相検出用の基準データと共に検出される著作権のデータＤＣを出力する。
【００７８】
サブサンプリング位相切換器３４は、位相切り換え信号ＳＥＬに応じて高速フーリエ変換回路７におけるサンプリングブロックの位相を順次変化させるように、リセット信号ＲＳＴを出力する。これによりデコーダ３２は、フィードバックループを形成し、著作権のデータＤＣと共に記録した位相検出用の基準信号を基準にして、著作権のデータＤＣの検出結果よりサンプリングブロックの位相を順次切り換え、確実に著作権のデータＤＣを検出するようになされている。なお、この種のサンプリングブロックの位相切り換えは、実用上十分な特性を得ることができる場合、著作権のデータＤＣの検出結果等によっても実行することができる。
【００７９】
図９に示す構成によれば、フィードバックループを形成して、ディジタルオーディオ信号に埋め込んだデータの検出結果よりサンプリングブロックの位相を順次切り換えることにより、著作権のデータＤＣを確実に検出することができる。
【００８０】
（６）第６の実施の形態
図１０は、この実施の形態に係るエンコーダの処理の説明に供する特性曲線図である。このエンコーダにおいては、ディジタルオーディオ信号ＤＡ１の音質に影響を与えない周波数帯域において、周波数方向に連続する複数の周波数スペクトラムを一定の周期Ｔで所定の信号レベルに設定する。なおここでこの周期Ｔは、例えば１０秒に設定される。またこの連続する複数の周波数スペクトラムは、時系列サンプリングデータによるディジタルオーディオ信号を帯域分離して信号レベルを検出可能なスペクトラム幅に設定される。これによりこのエンコーダは、この周期Ｔの周波数スペクトラムによる基準信号をディジタルオーディオ信号に埋め込むようになされている。なおこの実施の形態は、本願の参考例を示すものである。
【００８１】
またこのエンコーダは、上述の第１〜第５の実施の形態に係るエンコーダと同様にして著作権のデータＤＣをディジタルオーディオ信号に埋め込む。
【００８２】
図１１は、このようにして周期Ｔの周波数スペクトラムによる基準信号、著作権のデータＤＣを埋め込んでなるディジタルオーディオ信号ＤＡ２を処理する信号処理装置を示すブロック図である。この信号処理装置４２は、ディジタルオーディオ信号ＤＡ２に埋め込んだ基準信号によりディジタルオーディオ信号の速度を補正した後、ディジタルオーディオ信号ＤＡ２に埋め込んだ著作権のデータＤＣに対応して上述の第１〜第５の実施の形態に係るデコーダ２、１２、２２、３２により著作権のデータＤＣを検出する。
【００８３】
これにより信号処理装置４２は、ディジタルオーディオ信号ＤＡ１のピッチを可変してアナログ信号によるオーディオ信号に変換した後、このアナログ信号によるオーディオ信号をディジタルオーディオ信号ＤＡ２に変換した場合でも、このディジタルオーディオ信号ＤＡ２より著作権のデータＤＣを検出できるようになされている。
【００８４】
すなわち周期計測回路４３は、ディジタルオーディオ信号ＤＡ２を帯域制限して信号レベルを検出することにより、エンコーダにて埋め込んだ基準信号を検出する。さらに周期計測回路４３は、この基準信号の周期を計測し、エンコード時の周期Ｔに対するこの計測した周期の偏差を誤差信号としてサンプリングレートコンバータ４４に出力する。
【００８５】
サンプリングレートコンバータ４４は、この誤差信号に基づいて、周期計測回路４３で検出される基準信号の周期がエンコード時の周期Ｔに対応する周期になるようにディジタルオーディオ信号ＤＡ２のサンプリングレートを変換する。これにより信号処理装置４２においては、意図的にディジタルオーディオ信号ＤＡ２のピッチを可変した場合等にあっても、周波数スペクトラムに埋め込んだ著作権のデータを検出できるようになされている。なおこの種の基準信号としては、実用上十分な特性が得られる場合、著作権のデータＤＣと共に埋め込むヘッダ等を利用しても良い。
【００８６】
図１０及び図１１に示す構成によれば、著作権のデータと共に基準信号を埋め込み、デコード時、この基準信号を基準にしてピッチを補正して著作権のデータＤＣを検出することにより、意図的にディジタルオーディオ信号ＤＡ２のピッチを可変した場合等にあっても、著作権のデータＤＣを確実に検出することができる。
【００８７】
（７）第７の実施の形態
この実施の形態においては、図１２及び図１３に示すエンコーダ５１及びデコーダ５２により著作権のデータＤＣを処理する。すなわちエンコーダ５１において、遅延回路（Ｄ）５３は、高速フーリエ変換回路３より出力される周波数解析結果を所定時間遅延してウォーターマークエンコーダ５４に出力する。なおこの実施の形態は、本願の参考例を示すものである。
【００８８】
アタック部検出部５５は、図１４に示すように、ディジタルオーディオ信号ＤＡ１の信号レベルを監視し、ディジタルオーディオ信号ＤＡ１の信号レベルが急激に立ち上がるアタックの部分を検出する。さらにアタック部検出部５４は、このアタックの部分のピークＰを検出し、このピークＰより所定時間ｂだけ先行した時点の周波数解析結果が遅延回路５３よりウォーターマークエンコーダ５４に入力されるタイミングで、プリマスキングのタイミング信号Ｓ１を出力する。
【００８９】
ここでこのタイミング信号Ｓ１のタイミングは、この実施の形態に係る構成によりディジタルオーディオ信号ＤＡ１に著作権のデータＤＣを埋め込んだ際に、アタックの部分によるマスキング効果によりこの著作権のデータＤＣを埋め込んだことによる音質劣化を知覚できない期間の開始のタイミングである。
【００９０】
ノイズ性判別部５６は、高速フーリエ変換回路３より出力される周波数解析結果より、所定の周波数スペクトラムを監視し、この周波数スペクトラムがノイズ性の場合、ウォーターマークエンコーダ５４に通知する。ここでノイズ性とは、図１５に示すように、トーン性と相対する意であり、エネルギーが広い周波数帯域に分布している場合であり、トーン性とはエネルギーが例えば高調波の周波数スペクトラムに集中している場合である。ノイズ性判別部５６は、ウォーターマークエンコーダ５４において著作権のデータＤＣを埋め込む周波数スペクトラムについて、この周波数スペクトラムと近傍の周波数スペクトラムの信号レベルを監視することにより、ノイズ性か否か判定する。
【００９１】
ウォーターマークエンコーダ５４は、プリマスキングのタイミング信号Ｓ１、ノイズ性判別部５６からの通知により、所定の周波数スペクトラムがノイズ性の場合であって、かつ所定の信号レベル以下の場合、タイミング信号が出力された後所定時間ａの間、著作権のデータＤＣの論理値に応じてこの所定の周波数スペクトラムをミュートし、これにより著作権のデータを埋め込む。ここでこの時間ａは、アタックの部分によるマスキング効果によりこのようにして埋め込んだ著作権のデータＤＣによる音質劣化を知覚困難な期間である。
【００９２】
これによりエンコーダ５１は、アタックの部分の立ち上がり側におけるマスキング効果を有効に利用して、音質劣化を知覚困難にして著作権のデータを埋め込むようになされている。
【００９３】
また所定の周波数スペクトラムが一定の信号レベル以下の場合、著作権のデータＤＣの論理値に応じてこの所定の周波数スペクトラムをミュートすることにより、ダビングを繰り返しても著作権のデータＤＣを失うことがないように著作権のデータＤＣを埋め込む。すなわちこのように特定の周波数スペクトラムをミュートした場合には、ダビングを繰り返しても再現性良くミュートした周波数スペクトラムを検出することができる。
【００９４】
さらにこのときノイズ性の部分で著作権のデータを埋め込むことにより、著作権のデータＤＣを埋め込んだことによる音質劣化を知覚し難くする。
【００９５】
これに対してデコーダ５２は、エンコーダ５１との対比により図１３に示すように、プリマスキングのタイミング信号Ｓ１、ノイズ性判別部５６からの通知を基準にして、検出器５７において、著作権のデータを埋め込んでなる周波数スペクトラムデータより信号レベルを判定して著作権のデータＤＣを検出する。
【００９６】
図１２及び図１３に示す構成によれば、アタックの部分の立ち上がり側の所定期間の間、著作権のデータＤＣを埋め込むことにより、マスキング効果を有効に利用して著作権のデータＤＣを埋め込んだことによる音質劣化を防止することができる。
【００９７】
（８）第８の実施の形態
この実施の形態においては、第７の実施の形態に係る構成のアタックの部分の立ち上がり側に代えて、アタックの部分の立ち下がり側で著作権のデータＤＣを埋め込む。すなわちこの実施の形態では、図１４においてピークＰより時間軸方向に所定時間ｃの間で著作権のデータを埋め込む。なおこの他の埋め込みの構成等にあっては、第７の実施の形態と同様に構成される。なおこの実施の形態は、本願の参考例を示すものである。
【００９８】
この実施の形態のようにアタックの部分の立ち下がり側の所定期間の間、著作権のデータＤＣを埋め込むようにしても、マスキング効果を有効に利用して著作権のデータＤＣを埋め込んだことによる音質劣化を防止することができる。
【００９９】
（９）第９の実施の形態
この実施の形態においては、図２について上述したとほぼ同様の構成によるエンコーダ６１（図２）と、図１６に示すデコーダ６２とにより、著作権のデータＤＣをディジタルオーディオ信号に埋め込み、またこの著作権のデータＤＣを検出する。なおこの実施の形態に係るエンコーダ６１においては、ウォーターマークエンコーダの構成が異なる以外、第１の実施の形態に係るエンコーダ１と同一に構成されることにより、エンコーダ１について上述した図２において、この異なる構成を括弧書きの符号により示し、重複した説明は省略する。
【０１００】
このエンコーダ６１において、ウォーターマークエンコーダ６４は、図１７に示すように周波数解析結果についての周波数軸方向及び時間軸方向の組み合わせによるパターンにより著作権のデータＤＣを表現する。具体的に、この実施の形態において、ウォーターマークエンコーダ６４は、連続する２つのサンプリングブロックにおける２×１０２４個の周波数スペクトラムより、著作権のデータＤＣの各ビットに複数の周波数スペクトラムを割り当てる。すなわちウォーターマークエンコーダ６４は、著作権のデータＤＣの論理値に応じて、対応する周波数スペクトラムをミューティングし、又は所定ビットを所定の論理値にセットすることにより、周波数軸方向及び時間軸方向の組み合わせによるパターンにより著作権のデータＤＣを埋め込む。
【０１０１】
さらにウォーターマークエンコーダ６４は、一定の周期Ｔによりこのパターンを繰り返す。
【０１０２】
デコーダ６２は、高速フーリエ変換回路７より出力される周波数解析結果を直接に入力すると共に、又遅延回路６３を介して１サンプリングブロックだけ遅延させて入力することにより、連続する２つのサンプリングブロックによる周波数解析結果をパターン検出器６６に入力する。
【０１０３】
パターン検出器６６は、このようにして入力される連続する２つのサンプリングブロックによる周波数解析結果より、周波数軸方向及び時間軸方向の組み合わせによるパターンを検出することにより著作権のデータＤＣを検出する。
【０１０４】
この実施の形態によれば、周波数軸方向及び時間軸方向の組み合わせによるパターンにより著作権のデータＤＣを埋め込むことにより、著作権のデータＤＣの誤検出を有効に回避して確実に著作権のデータＤＣを検出することができる。
【０１０５】
（１０）第１０の実施の形態
この実施の形態においては、第９の実施の形態について上述したエンコーダ６１により著作権のデータＤＣを埋め込んだディジタルオーディオ信号ＤＡ２から、図１８に示すデコーダ７２により著作権のデータＤＣを検出する。なおこの図１８に示す構成において、図１６について上述したデコーダ６２と同一の構成は対応する符号を付して示し、重複した説明は省略する。
【０１０６】
このデコーダ７２においては、検出器６６より出力される著作権のデータＤＣの検出周期をタイマ７３により時間計測する。さらにデコーダ７２においては、このタイマ７３により検出される時間計測周期がエンコーダ６１により繰り返される周期Ｔのとき、ゲート７４を介して著作権のデータＤＣを出力する。これによりこの実施の形態においては、著作権のデータＤＣの誤検出を防止する。
【０１０７】
この実施の形態によれば、周波数軸方向及び時間軸方向の組み合わせによるパターンにより著作権のデータＤＣを一定の周期で埋め込むことにより、この周期を基準にして著作権のデータＤＣの誤検出を防止でき、これにより確実に著作権のデータＤＣを検出することができる。
【０１０８】
（１１）第１１の実施の形態
この実施の形態においては、図１９に示すエンコーダにより第１及び第２の著作権データＤＣ１及びＤＣ２を埋め込む。すなわちウォーターマークエンコーダ８３は、連続する２つのサンプリングブロックにおける２×１０２４個の周波数スペクトラムより、第１及び第２の著作権データＤＣ１及びＤＣ２にそれぞれ周波数スペクトラムを割り当てる。
【０１０９】
さらにウォーターマークエンコーダ８３は、第１及び第２の著作権データＤＣ１及びＤＣ２にそれぞれ割り当てた周波数スペクトラムにおいて、それぞれ第１及び第２の著作権データＤＣ１及びＤＣ２の各ビットに複数の周波数スペクトラムを割り当て、第１及び第２の著作権データＤＣ１及びＤＣ２の論理値に応じて対応する周波数スペクトラムをミューティングし、又は所定ビットを所定の論理値にセットする。これによりウォーターマークエンコーダ８３は、２種類の著作権データＤＣ１及びＤＣ２で周波数スペクトラムが干渉しないように設定して、レイヤー構造により２種類の著作権データＤＣ１及びＤＣ２を埋め込む。またこのとき周波数軸方向及び時間軸方向の組み合わせによるパターンによりディジタルオーディオ信号ＤＡ１に各著作権のデータＤＣ１及びＤＣ２を埋め込む。
【０１１０】
図１９に示す構成によれば、周波数軸方向及び時間軸方向の組み合わせによるパターンにより２種類の著作権データＤＣ１及びＤＣ２を埋め込むようにし、このとき２種類の著作権データＤＣ１及びＤＣ２で周波数スペクトラムが干渉しないよう設定してレイヤー構造とすることにより、必要に応じてこれら著作権のデータＤＣ１、ＤＣ２を重ね書きすることもでき、これにより複雑に著作権を制限する場合でも、確実に著作権のデータを検出することができる。
【０１１１】
（１２）第１２の実施の形態
この実施の形態においては、図２０に示すエンコーダにより著作権のデータＤＣを埋め込む。すなわちエンコーダ９１において、パリティ生成回路９５は、著作権のデータＤＣより誤り訂正用のパリティを生成し、これら著作権のデータＤＣ及びパリティをウォーターマークエンコーダ６４に出力する。ウォーターマークエンコーダ６４は、これら著作権のデータＤＣ及びパリティを第１１の実施の形態について上述したと同様にしてディジタルオーディオ信号ＤＡ１に埋め込み、これにより著作権のデータＤＣを検出する際に誤り訂正できるようにする。
【０１１２】
これに対応してデコーダにおいては、周波数スペクトラムの周波数軸方向及び時間軸方向の組み合わせによるパターンにより著作権のデータと誤り訂正符号を検出し、さらにこの誤り訂正符号により著作権のデータを誤り訂正して検出する。
【０１１３】
この実施の形態によれば、誤り訂正用の符号を付加して著作権のデータをディジタルオーディオ信号ＤＡ１に埋め込むことにより、著作権のデータＤＣを検出する際に誤り訂正することができ、これによりさらに一段と確実に著作権のデータＤＣを検出することができる。
【０１１４】
（１３）第１３の実施の形態
図２１は、第１３の実施の形態に係るエンコーダの処理の説明に供する略線図である。この実施の形態に係るエンコーダにおいては、第９の実施の形態に係るエンコーダと同様に、高速フーリエ変換して得られる周波数解析結果について、周波数軸方向及び時間軸方向の組み合わせによるパターンにより著作権のデータＤＣを埋め込む。
【０１１５】
このとき図２１において連続するサンプリングブロックにおける周波数スペクトラム値の関係を矢印により示すように、同一の周波数スペクトラムにおいて時間軸方向の変化により著作権のデータＤＣを表現し、これにより誤検出を有効に回避して確実に著作権のデータＤＣを検出することができるようにする。
【０１１６】
これに対応してデコーダにおいては、周波数スペクトラムの周波数軸方向及び時間軸方向の組み合わせによるパターンにより著作権のデータを検出するようにし、さらにこのとき時間軸方向の周波数スペクトラムの変化によりこの著作権のデータを検出する。
【０１１７】
この実施の形態によれば、周波数軸方向及び時間軸方向の組み合わせによるパターンにより著作権のデータＤＣを埋め込み、このとき周波数スペクトラムの時間軸方向の変化により著作権のデータＤＣを表現することにより、誤検出を有効に回避して確実に著作権のデータを検出することができる。
【０１１８】
（１４）第１４の実施の形態
図２２は、第１４の実施の形態に係るエンコーダを示すブロック図である。このエンコーダ１０１において、エンコード部１０３は、上述した実施の形態に係る何れかのエンコーダが適用される。遅延回路（Ｄ）１０４は、このエンコード部１０３における処理に対応する時間の間、ディジタルオーディオ信号ＤＡ１を遅延させて出力する。
【０１１９】
信号出力回路１０５は、エンコード部１０３における著作権のデータの埋め込み処理に連動して遅延回路１０４の出力信号とエンコード部１０３との出力信号を選択的に出力する。すなわち信号出力回路１０５は、エンコード部１０３において著作権のデータを埋め込んだ部分については、エンコード部１０３より出力されるディジタルオーディオ信号ＤＡ２を選択的に出力し、これ以外の部分では遅延回路１０４より出力されるディジタルオーディオ信号ＤＡ１を選択的に出力する。
【０１２０】
これにより信号出力回路１０５は、著作権のデータＤＣを埋め込む処理に何ら無関係な部分においては、遅延回路１０４より出力されるディジタルオーディオ信号ＤＡ１を選択的に出力することにより、高速フーリエ変換処理等により発生する丸め誤差によるディジタルオーディオ信号ＤＡ３の音質劣化を低減するようになされている。
【０１２１】
さらに信号出力回路１０５は、これら２つのディジタルオーディオ信号を切り換える際に、クロスフェードによりディジタルオーディオ信号ＤＡ１及びＤＡ２を切り換えて出力し、これによりこのように著作権のデータＤＣを埋め込んだ箇所を知覚困難にする。
【０１２２】
図２２に示す構成によれば、入力されたディジタルオーディオ信号ＤＡ１と著作権のデータＤＣを埋め込んだディジタルオーディオ信号ＤＡ２とを著作権のデータＤＣの埋め込みに連動して選択的に出力することにより、著作権のデータＤＣを埋め込むことによる音質劣化を低減することができる。
【０１２３】
またこのときクロスフェードによりディジタルオーディオ信号を切り換えることによっても、音質劣化を低減することができる。
【０１２４】
（１５）第１５の実施の形態
図２３は、第１５の実施の形態に係るデコーダを示すブロック図である。このデコーダ１０２において、デコード部１０６は、上述した実施の形態に係る何れかのデコーダが適用される。このデコーダ１０２において、自動利得制御回路（ＡＧＣ）１０７は、デコード部１０６における著作権のデータＤＣの検出結果に基づいて、アナログ信号によるオーディオ信号ＳＡ４の信号レベルを補正して出力し、続くアナログディジタル変換回路（Ａ／Ｄ）１０８は、このオーディオ信号ＳＡ４をアナログディジタル変換処理してディジタルオーディオ信号を出力する。なおこの実施の形態は、本願の参考例を示すものである。
【０１２５】
これによりデコーダ１０２においては、このようにして著作権のデータＤＣを検出するオーディオ信号ＳＡ４の信号レベルが、例えばダビング等の繰り返しにより変化している場合でも、適切な信号レベルに補正して著作権のデータＤＣを検出し、確実に著作権のデータＤＣを検出できるようになされている。
【０１２６】
またこのときアナログ信号の段階で信号レベルを補正することにより、ディジタルオーディオ信号の段階で信号レベルを補正する場合の誤差を低減して確実に著作権のデータＤＣを検出できるようになされている。
【０１２７】
図２３に示す構成によれば、著作権のデータＤＣの検出結果に基づいてオーディオ信号の信号レベルを補正することにより、例えばダビング等の繰り返しによりオーディオ信号の信号レベルが変化している場合でも、適切な信号レベルに補正して著作権のデータＤＣを検出することができ、これにより確実に著作権のデータＤＣを検出することができる。
【０１２８】
（１６）第１６の実施の形態
図２４は、第１６の実施の形態に係るデコーダを示すブロック図である。このエンコーダ１１２は、例えばＡＴＲＡＣによりデータ圧縮されたディジタルオーディオ信号ＤＡ４が入力される。すなわちディジタルオーディオ信号ＤＡ４は、高速フーリエ変換等の直交変換処理の１つであるＭＤＣＴ変換処理により係数データに変換された後、適応符号化処理されてデータ圧縮されたものである。
【０１２９】
復号器１１３は、このようにして適応符号化処理されたディジタルオーディオ信号ＤＡ４を復号化して係数データＤＳ１を出力する。ウォーターマークエンコーダ１１４は、上述した実施の形態に係るウォーターマークエンコーダと同様にして、この係数データＤＳ１に著作権のデータＤＣを埋め込み、符号化器１１５は、復号器１１３とは逆に、この係数データＤＳ１を適応符号化処理して出力する。
【０１３０】
これによりこのエンコーダ１１２においては、時系列サンプリングデータによるディジタルオーディオ信号に変換しなくても著作権のデータＤＣを埋め込み、また変更、重ね書きできるようになされ、その分丸め誤差等による音質劣化を防止して確実に著作権のデータＤＣを検出できるようになされている。
【０１３１】
図２４に示す構成によれば、係数データＤＳ１を復号して著作権のデータＤＣを埋め込むことにより、時系列サンプリングデータによるディジタルオーディオ信号に変換しなくても著作権のデータＤＣを埋め込み、変更、重ね書きすることができ、その分丸め誤差等による音質劣化を防止して確実に著作権のデータＤＣを埋め込むことができる。
【０１３２】
（１７）第１７の実施の形態
図２５は、第１７の実施の形態に係るエンコーダを示すブロック図である。このエンコーダ１２１は、高速フーリエ変換に代えて複数のバンドパスフィルタ（ＢＰＦ）１２３Ａ〜１２３Ｎによる帯域制限によりディジタルオーディオ信号ＤＡ１を周波数解析し、これにより等化的にディジタルオーディオ信号ＤＡ１を直交変換したと同様の周波数解析結果を生成する。
【０１３３】
ウォーターマークエンコーダ１２５は、これらバンドパスフィルタ１２３Ａ〜１２３Ｎより出力される周波数解析結果を受け、上述の実施の形態について上述したウォーターマークエンコーダと同様にして著作権のデータＤＣを埋め込んで出力する。
【０１３４】
遅延回路（Ｄ）１２４は、このディジタルオーディオ信号ＤＡ１のタイミングを補正して出力する。ミクサ（ＭＩＸ）１２６は、遅延回路１２４より出力されるディジタルオーディオ信号、ウォーターマークエンコーダ１２５より出力される各周波数解析結果を所定の重み付け係数により重み付け加算して出力する。
【０１３５】
図２５に示す構成によれば、複数のバンドパスフィルタにより帯域制限して周波数解析結果を得るようにしても、上述した実施の形態と同様の効果を得ることができる。
【０１３６】
（１８）他の実施の形態
なお上述の実施の形態においては、主に周波数スペクトラムをミューティングして著作権のデータを埋め込む場合について述べたが、本発明はこれに限らず、例えば所定ビットを著作権のデータの論理値に対応する値にセットする場合、さらには他の周波数スペクトラムデータの値を基準値として著作権のデータの論理値に対応する値に設定する場合等、種々に著作権のデータＤＣを割り当てる場合に広く適用することができる。
【０１３７】
さらに上述の実施の形態においては、サンプリングブロックを適切に設定する場合等について述べたが、本発明はこれに限らず、必要に応じて上述の実施の形態に係る構成を種々に組み合わせて著作権のデータＤＣを埋め込み、また著作権のデータＤＣを検出してもよい。
【０１３８】
また上述の実施の形態においては、著作権のデータをディジタルオーディオ信号に埋め込む場合について述べたが、本発明はこれに限らず、必要に応じて種々のデータを埋め込む場合に広く適用することができる。
【０１３９】
さらに上述の実施の形態においては、ディジタルオーディオ信号に所望のデータを埋め込む場合について述べたが、本発明はこれに限らず、ビデオ信号等に埋め込む場合にも広く適用することができる。
【０１４０】
また上述の実施の形態においては、主に高速フーリエ変換によりディジタルオーディオ信号を直交変換する場合について述べたが、本発明はこれに限らず、ＭＤＣＴ変換等により直交変換する場合、さらには映像信号にあっては、ディスクリートコサイン変換処理、ハール変換処理等により直交変換する場合に広く適用することができる。すなわちＭＰＥＧ  Ａｕｄｉｏ、Ｄｏｌｂｙ  ＡＣ２、Ｄｏｌｂｙ  ＡＣ３、Ｔｗｉｎ  ＶＱ等直交変換処理による種々の信号をデータ圧縮する場合に広く適用することができる。
【０１４２】
【発明の効果】
上述のように本発明によれば、時間軸方向及び又は周波数軸方向に連続する係数データの値を入力データに対応する同一値に設定することにより、入力信号に埋め込まれたデータの検出結果に基づいて、サンプリングブロックを切り換えることにより、データ圧縮する場合でも著作権等のデータを確実に検出することができる。
【０１４４】
また係数データの周波数軸方向及び時間軸方向の組み合わせによるパターンにより入力データを表現することにより、誤検出を低減して著作権等のデータを確実に検出することができる。
【図面の簡単な説明】
【図１】本発明の第１の実施の形態に係るデコーダを示すブロック図である。
【図２】図１のデコーダに対応するエンコーダを示すブロック図である。
【図３】図２のエンコーダの処理の説明に供する特性曲線図である。
【図４】第２の実施の形態に係るエンコーダを示すブロック図である。
【図５】図４のエンコーダに対応するデコーダを示すブロック図である。
【図６】第３の実施の形態に係るデコーダを示すブロック図である。
【図７】第３の実施の形態に係るエンコーダの処理の説明に供する特性曲線図である。
【図８】第４の実施の形態に係るエンコーダの処理の説明に供する特性曲線図である。
【図９】第５の実施の形態に係るデコーダを示すブロック図である。
【図１０】第６の実施の形態に係るエンコーダの処理の説明に供する特性曲線図である。
【図１１】第６の実施の形態に係る信号処理装置を示すブロック図である。
【図１２】第７の実施の形態に係るエンコーダを示すブロック図である。
【図１３】第７の実施の形態に係るデコーダを示すブロック図である。
【図１４】図１２のエンコーダの処理の説明に供する信号波形図である。
【図１５】図１２のエンコーダの処理の説明に供する特性曲線図である。
【図１６】第９の実施の形態に係るデコーダを示すブロック図である。
【図１７】図１６のデコーダの処理の説明に供する特性曲線図である。
【図１８】第１０の実施の形態に係るデコーダを示すブロック図である。
【図１９】第１１の実施の形態に係るエンコーダを示すブロック図である。
【図２０】第１２の実施の形態に係るエンコーダを示すブロック図である。
【図２１】第１３の実施の形態に係るエンコーダの処理の説明に供する略線図である。
【図２２】第１４の実施の形態に係るエンコーダを示すブロック図である。
【図２３】第１５の実施の形態に係るデコーダを示すブロック図である。
【図２４】第１６の実施の形態に係るエンコーダを示すブロック図である。
【図２５】第１７の実施の形態に係るエンコーダを示すブロック図である。
【符号の簡単な説明】
１、１１、５１、８１、９１、１０１、１１２、１２１……エンコーダ、２、１２、２２、３２、５２、６２、７２、１０２……デコーダ、３、７Ａ〜７Ｎ……高速フーリエ変換回路、４、２４、５４、６４、８３、１１４、１２５……ウォーターマークエンコーダ、６……逆高速フーリエ変換回路、９、３３、５７、６６……検出器、１３、１４……サブサンプリング位相検出器、３４……サブサンプリング位相切換器、４２……信号処理装置、４３……周期検出回路、４４……サンプリングレートコンバータ、５５……アタック部検出部、５６……ノイズ性判定部
【図１】
0004048455.tif 000002
【図２】
0004048455.tif 000003
【図３】
0004048455.tif 000004
【図４】
0004048455.tif 000005
【図５】
0004048455.tif 000006
【図６】
0004048455.tif 000007
【図７】
0004048455.tif 000008
【図８】
0004048455.tif 000009
【図９】
0004048455.tif 000010
【図１０】
0004048455.tif 000011
【図１１】
0004048455.tif 000012
【図１２】
0004048455.tif 000013
【図１３】
0004048455.tif 000014
【図１４】
0004048455.tif 000015
【図１５】
0004048455.tif 000016
【図１６】
0004048455.tif 000017
【図１７】
0004048455.tif 000018
【図１８】
0004048455.tif 000019
【図１９】
0004048455.tif 000020
【図２０】
0004048455.tif 000021
【図２１】
0004048455.tif 000022
【図２２】
0004048455.tif 000023
【図２３】
0004048455.tif 000024
【図２４】
0004048455.tif 000025
【図２５】
0004048455.tif 000026